(57)【要約】【課題】  クールビズのワイシャツのボタンに容易に取り付けることができるアクセサリの提供。【解決手段】  表面側に装飾部２を有し、裏面側にボタン抱持部３を有し、そのボタン抱持部３の開口部に係止糸５を挿入するスリット４を設ける。【選択図】        図１
2015073854.tif 000002
【特許請求の範囲】
【請求項１】
衣服(7)のボタン(1)に止着されるアクセサリであって、
その表面側に設けた装飾部(2)と、
その裏面側に設けた偏平な筒状または袋状のボタン抱持部(3)と、
そのボタン抱持部(3)の開口縁部に形成されたスリット(4)と、を有し
衣服(7)にボタン(1)を止着する止着糸(5)が、前記ボタン抱持部(3)のスリット(4)に挿入されて係止されると共に、そのボタン(1)が前記ボタン抱持部(3)に収納されるように構成されたアクセサリ。
【請求項２】
請求項１に記載のアクセサリにおいて、
前記ボタン抱持部(3)の開口縁に逆Ｖ字状の案内部(6)があり、その逆Ｖの先端に前記スリット(4)が形成されたアクセサリ。
【請求項３】
前記ボタン抱持部(3)が基部(3b)とその裏面に取付けた抱持部本体(3a)からなり、その抱持部本体(3a)が、可撓性材料または金属材よりなるアクセサリ。
【発明の詳細な説明】
【技術分野】
【０００１】
本発明は、主としてワイシャツのボタンを利用して容易に取り付けることができるアクセサリに関する。
【背景技術】
【０００２】
地球温暖化対策の一環として、平成１７年より現在まで冷房の室温が２８℃でも、快適に過ごすことができるライフスタイルとして、クールビズが推奨されている。これはネクタイを外したワイシャツ姿で、その第１ボタンを外すことにより、快適に過ごすものである。
ワイシャツの第１ボタンを取り外した状態で取り付けるアクセサリとして、下記特許文献１が存在した。
これは、ワイシャツの第１ボタンのボタン穴側にもう一つのボタンを取付け、２つのボタン間を襟元鎖ピンで連結するものである。
【先行技術文献】
【特許文献】
【０００３】
【特許文献１】特開２００７−３１９２０号公報
【発明の概要】
【発明が解決しようとする課題】
【０００４】
しかしながら、ネクタイ自体をオシャレのポイントと感じていたビジネスマンも多い。そのため、ネクタイを外しかつ第１ボタンを外した場合、物足りなさを感じるとともに、締まりのなさまで感じるビジネスマンが存在する。また、上記特許文献１の場合は、そのボタンの取付けおよび鎖の取り付けが、面倒である欠点があった。また多様性に欠け、面白みがない。
そこで、本発明はそのクールビズ姿でかつ胸もとのしまりを感じるとともに、おしゃれをすることが容易にでき且つ、装飾に多様性あるアクセサリを提供することを課題とする。
【課題を解決するための手段】
【０００５】
請求項１に記載の本発明は、衣服(7)のボタン(1)に止着されるアクセサリであって、
その表面側に設けた装飾部(2)と、
その裏面側に設けた偏平な筒状または袋状のボタン抱持部(3)と、
そのボタン抱持部(3)の開口縁部に形成されたスリット(4)と、を有し
衣服(7)にボタン(1)を止着する止着糸(5)が、前記ボタン抱持部(3)のスリット(4)に挿入されて係止されると共に、そのボタン(1)が前記ボタン抱持部(3)に収納されるように構成されたアクセサリである。
【０００６】
請求項２に記載の本発明は、請求項１に記載のアクセサリにおいて、
好ましくは、前記ボタン抱持部(3)の開口縁に逆Ｖ字状の案内部(6)を設け、その逆Ｖの先端に前記スリット(4)を形成したアクセサリである。
請求項３に記載の本発明は、好ましくは、前記ボタン抱持部(3)が基部(3b)とその裏面に取付けた抱持部本体(3a)からなり、その抱持部本体(3a)が、可撓性材料または金属材よりなるアクセサリである。
【発明の効果】
【０００７】
本発明のアクセサリは、表面側に装飾部２を有し、裏面側にボタン抱持部３を有し、衣服７にボタン１を止着する止着糸５が、そのボタン抱持部３のスリット４に挿入されて係止される。そして、そのボタン１が前記ボタン抱持部３に収納されるものである。そのため、取付け易く、体裁のよいアクセサリとなる。また、装飾部２として多様な各種デザインを採用することができる。
【０００８】
請求項２に記載のように、ボタン抱持部３の開口縁に逆Ｖ字状の案内部６を設け、その逆Ｖの先端にスリット４を形成した場合には、アクセサリの取付けがさらに容易になる。
請求項３に記載のように、抱持部本体3aが、可撓性材料からなる場合には、ボタン１の止着糸５を弾性的に保持でき、アクセサリがボタンから不用意に脱落することを防止できる。また、抱持部本体3aが金属材よりなる場合には、取付け易い、アクセサリとなる。
【図面の簡単な説明】
【０００９】
【図１】本発明のアクセサリとその取付け説明図。
【図２】同取付け状態を示す要部斜視図。
【図３】そのアクセサリ８を衣服７の第２ボタンに取り付けた状態を示す正面図。
【図４】図３の要部拡大図。
【図５】アクセサリ８の他の実施例を示す正面図。
【発明を実施するための形態】
【００１０】
次に、図面に基づいて本発明の実施の形態につき説明する。
図１は、アクセサリ８の裏面側斜視図であり、そのボタン抱持部３にボタン１の止着糸５を係止しようとする説明図である。
このボタン抱持部３は、基部3bの表面側に装飾部２（この例ではトンボのデザインからなる）が設けられ、その裏面側に抱持部本体3aが設けられている。
そして、その抱持部本体3aと基部3bで筒状のボタン抱持部３を形成する。そして、その抱持部本体3aの下端開口の幅方向中央に逆Ｖ字状の案内部６が形成され、その先端からスリット４が中間高さまで設けられている。抱持部本体3aは、好ましくは、皮革、樹脂フィルム、ゴム板等の可撓性材料とすることができる。なお、それに代えて、金属材で形成することもできる。
【００１１】
そして、ワイシャツ等に取り付けられたボタン１がボタン抱持部３の下端開口から挿入され、その止着糸５が案内部６からスリット４に案内され、そのスリット４の上端で止着される。そして、そのスリット４に止着糸５が挟持され、ボタン１はボタン抱持部３内に収納される。その状態を示すのが、図２および図３である。そして、この例では、ボタン１がボタン抱持部３の基部3bの裏側に位置して、その正面側には装飾部２であるトンボのデザインが現れている。
抱持部本体3aを可撓性材料とした場合には、スリット４に挟持された止着糸５を弾性的に挟持することができる。抱持部本体3aを金属材料で形成した場合には、スリット４に止着糸５を容易に挿入することができる。
【００１２】
この例では、第２ボタンにアクセサリ８が取り付けられたが、それを第３ボタンに取り付けることもでき、ポケットの飾りボタンにこのアクセサリを取り付けることもできる。
図４は、そのアクセサリ８の要部拡大正面図である。
次に、図５（Ａ）は、装飾部２として前記トンボに代えて蝶のデザインであり、（Ｂ）は、装飾部２として猫のデザインとしたものである。このように装飾部２は各種のデザインを適宜採用することができる。
いずれもその裏面側にボタン抱持部３が配置されている。
【００１３】
（変形例）
上記実施例では、ボタン抱持部３を筒状に形成したが、これに変えて袋状に形成してもよい。また、基部3bと抱持部本体3aを一体に形成してもよい。
【符号の説明】
【００１４】
１  ボタン
２  装飾部
３  ボタン抱持部
3a  抱持部本体
3b  基部
４  スリット
５  止着糸
６  案内部
７  衣服
８  アクセサリ
【図１】
2015073854.tif 000003
【図２】
2015073854.tif 000004
【図３】
2015073854.tif 000005
【図４】
2015073854.tif 000006
【図５】
2015073854.tif 000007